(57)【特許請求の範囲】
【請求項１】
背板の上端に、該背板の左右寸法と等しい左右寸法の後方を向く折曲片を連設し、この折曲片の前端部及びそれに連続する前記背板の上端部に、手が挿入可能な開口部を形成することにより、この開口部より後方の前記折曲片を把手としたことを特徴とする椅子。
【請求項２】
背板の上端に、該背板の左右寸法と等しい左右寸法の後方を向く折曲片を連設し、この折曲片の直下における前記背板の上端部に、手が挿入可能な開口部を形成することにより、この開口部より後方の前記折曲片を把手としたことを特徴とする椅子。
【請求項３】
背板の上端に、該背板の左右寸法と等しい左右寸法の後方を向く、背板を成形して当該背板と一体的に形成された折曲片を連設し、この折曲片の前端部に、手が挿入可能な開口部を形成することにより、この開口部より後方の前記折曲片を把手としたことを特徴とする椅子。
【請求項４】
開口部を、折曲片の両側端部近傍まで形成したことを特徴とする請求項１ないし３のいずれかに記載の椅子。
【発明の詳細な説明】
【技術分野】
【０００１】
本発明は、背凭れの上部に把手を有する椅子に関する。
【背景技術】
【０００２】
この種の背凭れの上部に把手を有する椅子の中には、例えば特許文献１に記載されているように、背板の上端部の中央部に、手が挿入可能な把手（取っ手穴）を設けたものや、特許文献２に記載されているように、背フレームにおける上端部の横連結杆の中央部を、背板の上端部後面より離間するように後方に折曲させ、この折曲部を把手としたものがある。
【先行技術文献】
【特許文献】
【０００３】
【特許文献１】実用新案登録第３１６３１２４号公報
【特許文献２】特開２００６−１３６５７０号公報
【発明の概要】
【発明が解決しようとする課題】
【０００４】
前記特許文献１に記載されている椅子においては、単に背板の上端部に穴を開けて把手を形成しただけであるので、把手の開口縁（切り口）の前後寸法（断面積）が小さく、把手に手を差し入れて椅子を持ち運ぶ際に、手に部分的に大きな荷重が加わり、手が痛くなるという問題がある。特に、特許文献１のようなスタッキング可能な椅子においては、背板の厚さが小さいので、複数の椅子を積み重ねて持ち運ぶ際に、手に大きな荷重負荷が加わる。
【０００５】
一方、特許文献２に記載の椅子においては、把手は、丸棒状の横連結杆に形成され、全体を握ることができるので、前述した椅子の把手に比して、手に加わる荷重は小さい。しかしながら、把手は、背板とは別体の背フレームの横連結杆に形成されており、しかも横連結杆の中央部を後方に折曲しなければならないので、部品点数や製作工数が増え、コスト高となる。
【０００６】
本発明は、このような問題点に着目してなされたもので、手に大きな荷重が加わらない把手とするとともに、背板に特別な部材を取り付けたりすることなく、把手を簡単に形成することができるようにした、持ち運びが楽で安価な椅子を提供することを目的としている。
【課題を解決するための手段】
【０００７】
前記課題を解決するために、本発明の椅子は、
背板の上端に、該背板の左右寸法と等しい左右寸法の後方を向く折曲片を連設し、この折曲片の前端部及びそれに連続する前記背板の上端部に、手が挿入可能な開口部を形成することにより、この開口部より後方の前記折曲片を把手としたことを特徴としている。
この特徴によれば、把手の前後寸法（断面積）が比較的大きくなるので、把手に手を差し入れて椅子を持ち運ぶ際に、把手の下面を幅の広い面で支持することができる。従って、手に大きな荷重が加わることがないので、手が痛くなるということがなく、椅子の持ち運びが楽に行える。
【０００８】
また、開口部や把手は、合成樹脂等により背板を成形する際に一体的に形成しうるので、背板に別部材の把手を取り付けたりする必要がなく、安価な椅子を提供することができる。さらに、折曲片が、背板の上端部を補強する補強部材としての機能を有するので、背板に凭れ掛けたときに、その上端部が後方に必要以上に撓むのが防止される。また、椅子を前後に並べて使用する際、前部の椅子の把手を後部の椅子の着座者が把持しうるので、立ち上るときなどに便利である。
【０００９】
本発明の椅子は、
背板の上端に、該背板の左右寸法と等しい左右寸法の後方を向く折曲片を連設し、この折曲片の直下における前記背板の上端部に、手が挿入可能な開口部を形成することにより、この開口部より後方の前記折曲片を把手としたことを特徴としている。
この特徴によれば、把手の前後寸法（断面積）が比較的大きくなるので、把手に手を差し入れて椅子を持ち運ぶ際に、把手の下面を幅の広い面で支持することができる。従って、手に大きな荷重が加わることがないので、手が痛くなるということがなく、椅子の持ち運びが楽に行える。さらに、把手の前後寸法（断面積）がより大きくなるので、把手の下面を、より幅の広い面で支持することができ、椅子の持ち運びがさらに楽に行える。
【００１０】
本発明の椅子は、
背板の上端に、該背板の左右寸法と等しい左右寸法の後方を向く、背板を成形して当該背板と一体的に形成された折曲片を連設し、この折曲片の前端部に、手が挿入可能な開口部を形成することにより、この開口部より後方の前記折曲片を把手としたことを特徴としている。
この特徴によれば、把手の前後寸法（断面積）が比較的大きくなるので、把手に手を差し入れて椅子を持ち運ぶ際に、把手の下面を幅の広い面で支持することができる。従って、手に大きな荷重が加わることがないので、手が痛くなるということがなく、椅子の持ち運びが楽に行える。さらに、背板の上端部に開口部を形成していないので、背板の上端部の撓み剛性が大となり、背板に凭れ掛けたときに、その上端部が過度に後方に撓むことがなくなる。また、背板に凭れ掛かったときに、開口部の縁が背中にあたらないので不快感が発生しない。加えて、開口部や把手は、背板を合成樹脂等により成形する際に一体的に形成しうるので、背板に別部材の把手を取り付けたりする必要がなく、安価に実施することができる。
【００１１】
本発明の椅子は、
開口部を、折曲片の両側端部近傍まで形成したことを特徴としている。
この特徴によれば、開口部の後方に左右方向に長い把手が形成されるので、把手を左右方向の任意の位置で把持したり、両手で把持したりすることができ、椅子の持ち運びが容易となる。
【図面の簡単な説明】
【００１２】
【図１】本発明の実施例１の椅子の斜視図である。
【図２】図１のII−II線に沿う拡大縦断端面図である。
【図３】本発明の実施例２の椅子における背板部の斜視図である。
【図４】図３のIV−IV線に沿う拡大縦断端面図である。
【図５】本発明の実施例３の椅子における背板部の斜視図である。
【図６】図５のVI−VI線に沿う拡大縦断端面図である。
【発明を実施するための形態】
【００１３】
本発明に係る椅子を実施するための形態を実施例に基づいて以下に説明する。
【実施例１】
【００１４】
図１は、本発明の実施例１の椅子、すなわち請求項１に記載の発明の椅子の斜視図を示すもので、この椅子は、上端の対向面同士が前後複数の横連結材（図示略）により連結された側面視上向きコ字状の左右１対のパイプ製脚フレーム１、１と、この両脚フレーム１の上面に固定された合成樹脂等よりなる座板２と、この座板２の左右の後端部より起立する左右１対の起立部２ａ、２ａの上端に、左右両側部の下向き突部３ａ、３ａの下端が連結された合成樹脂等よりなる背板３とを備えている。なお、この実施例１の椅子は、複数積み重ねることができるスタッキング可能なものとされている。
【００１５】
前述した座板２の起立部２ａと背板３の下向き突部３ａとは、それらを、両脚フレーム１の後部の縦フレーム１ａの上端に突設された上向杆（図示略）に嵌合し、ねじ等により固定することにより連結されている。背板３の中央部は、後方に円弧状に湾曲され、かつ背板３の下端と座板２の後端部との対向部には、横長の開口部４が形成されている。
【００１６】
背板３の上端には、その左右寸法と等しい左右寸法の後方を向く折曲片５が連設されている。なお、折曲片５の後方への突出寸法は、背板３の板厚より長い例えば３〜５ｃｍ程度とするのが好ましい。
【００１７】
図２の拡大縦断端面図にも示すように、折曲片５の前端部及びそれに連続する背板３の上端部には、手が挿入可能な左右方向に長い開口部６が、背板３及び折曲片５の両側端部近傍まで形成され、開口部６より後方の折曲片５が、把手７とされている。
【００１８】
前記実施例１の椅子のように、背板３の上端に後方を向く折曲片５を連設し、この折曲片５の前端部及び背板３の上端部に手が挿入可能な開口部６を形成して、この開口部６より後方の折曲片５を把手７とすると、把手７の前後寸法（断面積）が比較的大きくなる。その結果、把手７に手を差し入れて椅子を持ち運ぶ際に、把手７の下面を幅の広い面で支持することができ、手に大きな荷重が加わることがないので、手が痛くなるということがなく、椅子の持ち運びが楽に行える。この効果は、複数の椅子を積み重ねて持ち運ぶ際に特に大きくなる。
【００１９】
開口部６を、背板３及び折曲片５の両側端部近傍まで左右方向に長く形成してあるので、開口部６の後方に左右方向に長い把手７が形成され、従って、把手７を左右方向の任意の位置で把持したり、両手で把持したりすることができるので、椅子の持ち運びが容易となる。
【００２０】
また、開口部６や把手７は、背板３を合成樹脂等により成形する際に一体的に形成しうるので、背板３に別部材の把手を取り付けたりする必要がなく、安価に実施することができる。
【００２１】
さらに、折曲片５が、背板３の上端部を補強する補強部材としての機能を有するので、背板３に凭れ掛けたときに、その上端部が後方に必要以上に撓むのが防止される。
【００２２】
椅子を前後に並べて使用する際、前部の椅子の把手７を後部の椅子の着座者が把持しうるので、立ち上るときなどに便利である。
【実施例２】
【００２３】
図３及び図４は、本発明の実施例２の椅子、すなわち請求項２に記載の発明の椅子における背板部の斜視図を示すもので、この実施例２においては、開口部６を、前記実施例と同様の折曲片５の直下における背板３の上端部に形成し、折曲片５全体を把手７としたものである。
【００２４】
この実施例２においても、前記実施例１の椅子と同様の作用効果を奏することができるとともに、把手７の前後寸法（断面積）が前記実施例１のものより大きくなるので、把手７の下面を、より幅の広い面で支持することができ、椅子の持ち運びがさらに楽に行える。また、把手７、すなわち折曲片５の前後寸法が大となることにより、背板３の上端の補強効果が高まる。
【実施例３】
【００２５】
図５及び図６は、本発明の実施例３の椅子、すなわち請求項３に記載の発明の椅子における背板部の斜視図を示すもので、この実施例３においては、開口部６を、折曲片５の前端部に形成し、この開口部６の後方の折曲片５を把手７としたものである。なお、この実施例３の折曲片５の後方への突出寸法は、前記実施例１のそれよりも若干長くしてある。
【００２６】
この実施例３においても、前記実施例１の椅子と同様の作用効果を奏することができるとともに、背板３の上端部に開口部６を形成していないので、背板３の上端部の撓み剛性が大となり、背板３に凭れ掛けたときに、その上端部が過度に後方に撓むことがなくなる。
【００２７】
以上、本発明の実施例を図面により説明してきたが、具体的な構成はこれら実施例に限られるものではなく、本発明の要旨を逸脱しない範囲における変更や追加があっても本発明に含まれる。
【００２８】
例えば、前記各実施例では、いずれも、開口部６を背板３及び折曲片５の両側端部近傍まで、左右方向に長く形成し、把手７を左右方向に長いものとしてあるが、例えば、手が挿入可能な左右寸法の小さな開口部６を、背板３の上端部や折曲片５の前端部の左右方向の中央部に形成したり、左右２箇所に形成するなどして、それらの開口部６の後方の折曲片５を把手７としてもよい。
【符号の説明】
【００２９】
１                脚フレーム
１ａ              縦フレーム
２                座板
２ａ              起立部
３                背板
３ａ              下向き突部
４                開口部
５                折曲片
６                開口部
７                把手
【図１】
0005650979.tif 000002
【図２】
0005650979.tif 000003
【図３】
0005650979.tif 000004
【図４】
0005650979.tif 000005
【図５】
0005650979.tif 000006
【図６】
0005650979.tif 000007